(57)【要約】【課題】  適宜の長さに収縮される筒型ダンパをその収縮状態に維持して搬送や所定位置への取付に好適となるようにする。【解決手段】  シリンダ体１に対してロッド体２が出没可能に挿通されてなると共にロッド体２側に保持されてシリンダ体１内から突出するロッド体２およびシリンダ体１におけるヘッド部１１側を外側から覆うカバー体３を有してなる筒型ダンパを適宜の長さの収縮状態に維持する形態保持構造において、分割構造に形成されながらシリンダ体１の外周に介装されると共に緊締具５の緊締でシリンダ体１の外周に定着されるプラグ４を有してなり、このプラグ４がシリンダ体１の外周に内周を対向させるカバー体３の開口端部３１に対して適宜の連繋構造下に連繋されてシリンダ体１とカバー体３との間における相対移動を阻止してなる。【選択図】        図１
2006349018.tif 000002
【特許請求の範囲】
【請求項１】
シリンダ体に対してロッド体が出没可能に挿通されてなると共にロッド体側に保持されてシリンダ体内から突出するロッド体およびシリンダ体におけるヘッド部側を外側から覆うカバー体を有してなる筒型ダンパを適宜の長さの収縮状態に維持する形態保持構造において、分割構造に形成されながらシリンダ体の外周に介装されると共に緊締具の緊締でシリンダ体の外周に定着されるプラグを有してなり、このプラグがシリンダ体の外周に内周を対向させるカバー体の開口端部に対して適宜の連繋構造下に連繋されてシリンダ体とカバー体との間における相対移動を阻止してなることを特徴とする形態保持構造
【請求項２】
プラグがシリンダ体の外周に介装されて緊締具を介装させる本体部と、この本体部から延設される立ち上り部とを有してなり、立ち上り部がカバー体の開口端部の内周とシリンダ体の外周との間に臨在された状態にしてカバー体の開口端部に連繋されてなる請求項１に記載の形態保持構造
【請求項３】
プラグがシリンダ体の外周に介装されて緊締具を介装させる本体部と、この本体部から延設される立ち上り部とを有してなり、立ち上り部がカバー体の開口端部の外周に隣接された状態にしてカバー体の開口端部に連繋されてなる請求項１に記載の形態保持構造
【請求項４】
プラグが弾性材からなる請求項１に記載の形態保持構造
【発明の詳細な説明】
【技術分野】
【０００１】
この発明は、形態保持構造に関し、特に、適宜の長さに収縮される筒型ダンパをその収縮状態に維持する形態保持構造の改良に関する。
【背景技術】
【０００２】
筒型ダンパたる、たとえば、ガス封入型のダンパにあっては、外力が作用していないいわゆるフリー状態では、ガス圧で最伸長状態にあり、したがって、搬送時や所定位置への取付時には適宜に収縮されている方が好ましいことがある。
【０００３】
一方、たとえば、特許文献１には、同じく筒型ダンパであって、懸架バネのバネ力で伸長作動する油圧緩衝器において、懸架バネのバネ力を規制することで、油圧緩衝器を収縮状態に維持することを可能にする提案が開示されている。
【０００４】
すなわち、この特許文献１に開示されているところは、油圧緩衝器おけるシリンダ体のボトム端に連設のアイを挿通して両端がシリンダ体の外径より突出することになるシャフト状のホルダを有すると共に、このホルダの両端部を貫通して懸架バネの伸縮方向に延在される線状の一対の吊り材を有してなり、この一対の吊り材が懸架バネに分離可能に連繋されるとしている。
【０００５】
このとき、一対の吊り材は、外周に螺条を有する言わば基端側がホルダを貫通すると共に、この基端側の螺条にナットを螺合させ、言わば先端にフックを有して懸架バネへの掛け止めを可能にしている。
【０００６】
それゆえ、この特許文献１に開示の提案によれば、先端のフックを懸架バネに掛け止めると共に、この状態でナットをいわゆる締め上げれば、懸架バネが強制的に収縮されることになり、この限りにおいて、懸架バネの附勢力をシリンダ体から突出するロッド体に作用させないようにすることが可能になるから、油圧緩衝器を収縮状態に維持することが可能になる。
【特許文献１】特開平８‐８２３３４号公報（図１）
【発明の開示】
【発明が解決しようとする課題】
【０００７】
しかしながら、上記した特許文献１に開示の提案は、筒型ダンパたる油圧緩衝器が懸架バネを外装する場合に具現化できる提案であって、油圧緩衝器が懸架バネを内装していて外部からこれを強制的に収縮し得ない場合、あるいは、油圧緩衝器がガス封入型とされる場合には、その具現化が不可能になる。
【０００８】
ちなみに、筒型ダンパたる油圧緩衝器が懸架バネを内装する場合、あるいは、筒型ダンパがガス封入型とされる場合に、これらの筒型ダンパにあってシリンダ体内にロッド体を没入させた収縮状態下に両端間に帯状材や線状材からなるバンド類を架け回してその収縮状態を維持する、すなわち、形態保持を可能にする提案をなし得る。
【０００９】
しかし、この提案にあっては、バンド類が筒型ダンパの両端にあるアイを挿通する状態に架け回されるとするのは好ましくなく、それゆえ、バンド類がアイをいわゆる包むように架け回されることになり、それゆえ、その筒型ダンパを所定位置に取り付ける際にバンド類が周辺に干渉してその取付を阻害したり不能にしたりする危惧があると指摘される可能性がある。
【００１０】
この発明は、前記した事情を鑑みて創案されたものであって、その目的とするところは、適宜の長さに収縮される筒型ダンパをその収縮状態に維持して搬送や所定位置への取付に好適となるようにするのに最適となる形態保持構造を提供することである。
【課題を解決するための手段】
【００１１】
上記した目的を達成するために、この発明による形態保持構造の構成を、基本的には、シリンダ体に対してロッド体が出没可能に挿通されてなると共にロッド体側に保持されてシリンダ体内から突出するロッド体およびシリンダ体におけるヘッド部側を外側から覆うカバー体を有してなる筒型ダンパを適宜の長さの収縮状態に維持する形態保持構造において、分割構造に形成されながらシリンダ体の外周に介装されると共に緊締具の緊締でシリンダ体の外周に定着されるプラグを有してなり、このプラグがシリンダ体の外周に内周を対向させるカバー体の開口端部に対して適宜の連繋構造下に連繋されてシリンダ体とカバー体との間における相対移動を阻止してなるとする。
【発明の効果】
【００１２】
それゆえ、この発明によれば、プラグが分割構造に形成されているから、シリンダ体の外周への介装が容易になると共に、緊締具の緊締でシリンダ体の外周に定着されるプラグが適宜の連繋構造下にカバー体の開口端部に連繋されるから、プラグを介してシリンダ体とカバー体との間における相対移動、すなわち、筒型ダンパにおける伸縮が阻止されて、筒型ダンパを適宜の長さに収縮した状態に維持することが可能になる。
【発明を実施するための最良の形態】
【００１３】
以下に、図に示した実施形態に基づいて、この発明を説明するが、この発明による形態保持構造は、図示するところでは、図１に示すように、筒型ダンパたるガス封入型の油圧緩衝器に具現化されてなるとしている。
【００１４】
すなわち、まず、この発明の具現化にあって、油圧緩衝器が単筒型に形成されているか複筒型に形成されているかは、基本的には自由であるが、図示すところでは、油圧緩衝器が単筒型に形成されてなるとしている。
【００１５】
そして、この単筒型の油圧緩衝器は、シリンダ体１に対してロッド体２が出没可能に挿通されてなると共に、ロッド体２側に保持されたカバー体３を有していわゆるカバー付きに形成されてなるとしている。
【００１６】
また、この油圧緩衝器にあっては、シリンダ体１内に挿通されるロッド体２に連設されながらシリンダ体１内に摺動可能に収装されるピストン部（図示せず）を有していて、シリンダ体１に対してロッド体２が出没されるときにシリンダ体１内をピストン部が摺動してこのピストン部などに配在される減衰力発生部で所定の減衰力が発生されるとしている。
【００１７】
さらに、この油圧緩衝器にあって、カバー体３は、シリンダ体１内から突出するロッド体２およびシリンダ体１におけるヘッド部１１側を外側から覆うように機能するもので、油圧緩衝器においてシリンダ体１内からロッド体２が大きいストロークで突出することになる最伸長時にも開口端部３１が少なくともシリンダ体１のヘッド部１１を外側から覆うことになるように設定されている。
【００１８】
ところで、上記した油圧緩衝器に具現化されるこの発明による形態保持構造についてだが、この形態保持構造は、分割構造に形成されながらシリンダ体１の外周に介装されると共に緊締具５の緊締でシリンダ体１の外周に定着されるプラグ４を有してなるとしている。
【００１９】
すなわち、プラグ４は、シリンダ体１の外周に介装されて緊締具５を介装させる本体部４１と、この本体部４１から延設される立ち上り部４２とを有してなり、図１に示すところでは、立ち上り部４２がカバー体３の開口端部３１の内周とシリンダ体１の外周との間に臨在された状態にしてカバー体３の開口端部３１に適宜の連繋構造下に連繋されてなるとしている。
【００２０】
ちなみに、緊締具５は、分割体に形成されていながらシリンダ体１の外周に介装されるプラグ４をいわゆる固定状態に定着させるもので、たとえば、締付バンドのような所定の緊締力を発揮し得るものであれば、任意の構成のものが採用されて良い。
【００２１】
ただ、プラグ４は、爾後にシリンダ体１の外周から撤去されるものであるから、その撤去作業を可能にする構成とされるのが肝要で、その限りでは、無制限に任意の構成が採用されて良い訳ではないのはもちろんである。
【００２２】
なお、プラグ４にあって、本体部４２は、所定の機械的強度を有する限りにおいて、また、シリンダ体１との間に所定の摩擦力を発生し得る限りには任意の形状に形成されて良い。
【００２３】
ところで、プラグ４がカバー体３に連繋されているところを図２に示すが、まず、プラグ４は、本体部４１と立ち上り部４２とを有してなり、図２に示す実施形態にあって、プラグ４は、図２（Ａ）に示すように、立ち上り部４２をカバー体３の開口端部３１の内周とシリンダ体１の外周との間に臨在させ、この状態下にカバー体３の開口端部３１に適宜の連繋構造下に連繋されてなるとしている。
【００２４】
このとき、プラグ４にあって、本体部４１は、緊締具５の緊締によってシリンダ体１の外周に保持されていて、この限りに、本体部４１がシリンダ体１の外周で移動しようとするとき、そこ発生する摩擦力で本体部４１の移動、すなわち、シリンダ体１とプラグ４との間における相対移動を阻止し得るとしている。
【００２５】
それに対して、プラグ４にあって、立ち上り部４２は、図２（Ｂ）に示すように、外周にＬ字型の溝４３を有していて、この溝４３にカバー体３の開口端部３１に植設されたピン状体３２を収容させるとしており、この溝４３における係止部４３ａとピン状体３２との係止が実現されるとき、カバー体３とプラグ４との連繋が実現され、上記の係止部４３ａとピン状体３２との係止が解除されるとき、カバー体３とプラグ４との連繋が解除されるとしている。
【００２６】
ちなみに、カバー体３とプラグ４との連繋を実現し、あるいは、解除するときには、プラグ４を移動させるのは容易でなく、したがって、多くの場合に、シリンダ体１に対して自由に回動できるロッド体２側に保持されているカバー体３が回動操作されるのが常であろうし、このことは、後述する図３に示す実施形態の場合であっても同様である。
【００２７】
すなわち、図３に示す形態保持構造にあっては、プラグ４における立ち上り部４２がカバー体３の開口端部３１の外周に隣接する態様になるとするもので、このとき、立ち上り部４２の内周に上記した図２に示す実施態様における溝４３と同様の構成となる溝４３が形成されてなるとし、カバー体３の開口端部３１の外周に上記した図２に示す実施態様におけるピン状体３２と同様の構成となるピン状体３２が形成されてなるとするものである。
【００２８】
それゆえ、この実施形態にあっても、上記した図２に示す実施形態の場合と同様に、カバー体３を回動操作してプラグ４との連繋を実現し、あるいは、解除することが可能になる。
【００２９】
それゆえ、前記した各実施形態による場合には、油圧緩衝器を適宜の長さに収縮させた状態下に、ピン状体３２を溝４３に係合させながら係止させあるいは係合を解除することで、プラグ４とカバー体３との連繋が実現されまた解除されることになる。
【００３０】
このことからすれば、上記のピン状体３２については、図示しないが、カバー体３における開口端部３１の内周あるいは外周を部分的に変形させて突起を形成することに代えても良い。
【００３１】
ところで、図４に示すところは、カバー体３における開口端部３１の外周にピン状体３２を植設することに代えて、カバー体３の開口端部３１を部分的に変形させて突起３３を形成するとしたものである。
【００３２】
そして、プラグ４における立ち上り部４２の内周には、上記の突起３３を収容させる凹部４４を形成するとするもので、このとき、凹部４４は、上記の突起３３を収容させる独立穴状に形成されるとしても良いが、好ましくは、立ち上り部４２の内周にあって周方向に延在される言わば環状に形成されてなるとするのが良い。
【００３３】
それゆえ、この実施形態による場合には、ピン状体３２たる部品が不要になる利点がある。
【００３４】
つぎに、図５に示すところは、カバー体３における開口端部３１の開口端がラッパ状に拡径されてなるとすると共に、プラグ４における立ち上り部４２の内周がこのプラグ４の開口端の形状に相応する形状に変形されてなるとするものである。
【００３５】
それゆえ、この実施形態による場合には、上記した図４に示す実施形態の場合と同様にピン状体３２たる部品が不要になる利点があるのはもちろんであるが、カバー体３における開口端部３１の開口端をラッパ状に拡径すれば足りるので、上記した図４に示す実施形態の場合に比較して、カバー体３に対する変形加工がようになる点で有利となる。
【００３６】
以上からすれば、この発明による形態保持構造にあっては、プラグ４が分割構造に形成されているから、シリンダ体１の外周への介装が容易になると共に、爾後の撤去も容易に実現し得ることになり、さらに、プラグ４が弾性材、たとえば、プラスチックやゴムで形成されてなる場合には、低コストにしてシリンダ体１の外周に傷を付けることなく所期の目的を達成できることになる。
【００３７】
前記したところは、プラグ４が分割構造に形成されてなるとしたが、これは、シリンダ体１のボトム端１２に連設されるアイ１３が多くの場合にシリンダ体１の外径より大きい寸法を有するように形成されるだろうから、このアイ１３を交わしたりすることなくしてシリンダ体１の外周にプラグ４を介装させることを可能にするためからである。
【００３８】
それゆえ、上記のアイ１３の寸法がシリンダ体１の外径よりも小さく設定されている場合は、このアイ１３を交わして、また、シリンダ体１のボトム端１２を交わすようにして、図示しないが、環状に形成されたプラグ４をシリンダ体１の外周に介装するようにしても良いことはもちろんである。
【００３９】
ちなみに、プラグ４が環状に形成されて利用される場合には、その撤去に際しては、これが破断されるであろう。
【００４０】
なお、プラグ４の分割の態様としては、図示するところでは、二分割とされているが、三分割以上の複数分割とされて良く、また、分割されているプラグ４が適宜の手段で連結されてなるとしても良いことはもちろんである。
【図面の簡単な説明】
【００４１】
【図１】この発明の一実施形態による形態保持構造を具現化した油圧緩衝器を示す部分断面正面図である。
【図２】（Ａ）は、図１に示すプラグのカバー体に対する連繋状態を拡大して示す部分断面図であり、（Ｂ）は、同じく部分正面図である。
【図３】他の実施形態による形態保持構造を具現化するプラグのカバー体に対する連繋状態を図２（Ａ）と同様に示す図である。
【図４】さらに他の実施形態による形態保持構造を具現化するプラグのカバー体に対する連繋状態を図３と同様に示す図である。
【図５】さらに他の実施形態による形態保持構造を具現化するプラグのカバー体に対する連繋状態を図４と同様に示す図である。
【符号の説明】
【００４２】
１  シリンダ体
２  ロッド体
３  カバー体
４  プラグ
１１  ヘッド部
３１  開口端部
３２  突起
４１  先端挿し込み部
４３  テーパ部
４４  凹部
【図１】
2006349018.tif 000003
【図２】
2006349018.tif 000004
【図３】
2006349018.tif 000005
【図４】
2006349018.tif 000006
【図５】
2006349018.tif 000007